(57)【要約】【課題】容易にかつ正確にコンパクトに折り畳むことができ、さらには、折り畳んだマットレスを容易に収納または持ち運びすることができる折り畳み式マットレスを提供する。【解決手段】６等分に分割された中材３と、該中材３を被覆するカバー体４とで形成される折り畳み式マットレス１において、マットレス本体２の、分割された前記中材３の夫々に対応する箇所に２個の上面切込部５と３個の下面切込部６とを幅方向に交互に設け、前記マットレス本体２をジグザグ状に折り畳み可能とした。【選択図】図１
0003127205.tif 000002
【実用新案登録請求の範囲】
【請求項１】
６等分に分割された中材と、該中材を被覆するカバー体とで形成される折り畳み式マットレスにおいて、マットレス本体の、分割された前記中材の夫々に対応する箇所に２個の上面切込部と３個の下面切込部とを幅方向に交互に設け、前記マットレス本体をジグザグ状に折り畳み可能としたことを特徴とする折り畳み式マットレス。
【請求項２】
前記マットレス本体に、該マットレス本体を折り畳んだ際、吊下げ可能とする吊下げ具を装着した請求項１記載の折り畳み式マットレス。
【請求項３】
前記吊下げ具が、本体部と把持部を備えて長尺輪状に形成され、前記本体部の長手方向中央部から二つに分断可能である請求項２記載の折り畳み式マットレス。
【考案の詳細な説明】
【技術分野】
【０００１】
本考案は、コンパクトに折り畳むことができ、さらに収納および持ち運びを容易にすることができる折り畳み式マットレスに関する。
【背景技術】
【０００２】
従来、敷布団の下に使用する弾力性のある敷布団用のマットレスが知られており、一般的な敷布団用マットレスは、厚手のウレタンからなる中材をカバー体で被覆して形成されている。これら敷布団用マットレスには、平板状に一体化されているものや、収納や持ち運びを容易にするために三つ折可能な折り畳み式のタイプのものが知られている。
【０００３】
また、特許文献１には、洗濯や移動等において分解や結合を楽に行うことが出来、収納時等には、必要に応じて簡単に折り畳むことが出来る分割式マットレスが提案されている。
【特許文献１】特開２００２−３１５６５１号公報
【考案の開示】
【考案が解決しようとする課題】
【０００４】
しかしながら、従来の三つ折可能な折り畳み式マットレスでは、折り畳んだ状態でもサイズが大きく、収納や持ち運びが容易とはいえなかった。また、上掲特許文献１の分割式マットレスは、連結部材を形成するための材料コストやそれを設置する手間が必要になる。さらに、折り畳んだマットレスを移動させる際、持つ箇所が一定しないため、折り畳んだマットレスが開いてしまうという不都合な問題が生じた。
【０００５】
そこで本考案の目的は、容易にかつ正確にコンパクトに折り畳むことができ、さらには、折り畳んだマットレスを容易に収納または持ち運びすることができる折り畳み式マットレスを提供することにある。
【課題を解決するための手段】
【０００６】
本考案者は、上記課題を解決すべく鋭意検討した結果、マットレス本体に複数の切込部を交互に設けることにより上記目的を達成し得ることを見出し、本発明を完成するに至った。
【０００７】
即ち、本考案の折り畳み式マットレスは、６等分に分割された中材と、該中材を被覆するカバー体とで形成される折り畳み式マットレスにおいて、マットレス本体の、分割された前記中材の夫々に対応する箇所に２個の上面切込部と３個の下面切込部とを幅方向に交互に設け、前記マットレス本体をジグザグ状に折り畳み可能としたことを特徴とする。
【０００８】
本考案の折り畳み式マットレスにおいては、前記マットレス本体に、折り畳んだ該マットレス本体を吊下げ可能とする吊下げ具を装着することができ、前記吊下げ具は、本体部と把持部を備えて長尺輪状に形成され、前記本体部の長手方向中央部から二つに分断可能であるものが好ましい。
【考案の効果】
【０００９】
マットレス本体を切込部にてジグザグ状に折り畳み可能としたことにより、長尺矩形状のマットレスをコンパクトに折り畳むことが可能になる。また、６等分に分割された中材を使用することにより、製造コストや作業工程を極力低減することができる。さらに、前記マットレス本体に吊下げ可能とする吊下げ具を装着すれば、折り畳んだマットレスを容易に収納または持ち運びすることができる。
【考案を実施するための最良の形態】
【００１０】
以下、本考案における折り畳み式マットレスの実施の形態を図面に基づいて説明する。
図１に示す折り畳み式マットレス１は、例えば、幅約９０ｃｍ、長さ約２００ｃｍの矩形状を呈する。図１は折り畳み式マットレス１の上面を、図２は下面を夫々示す。折り畳み式マットレス１のマットレス本体２は、緩衝性を有する汎用のウレタンフォームを６分割して形成された中材３と、かかる中材３を被覆するカバー体４とで形成されている。このマットレス本体２の上面には、上方から切り込みされた上面切込部５と、下方から切り込みされた下面切込部６とが幅方向に交互に、かつ上面切込部５と下面切込部６とは約３３ｃｍの長さでほぼ等間隔に設けられている。そのため、図７に示すように、マットレス本体２を上面切込部５と下面切込部６とからジグザグ状に折り畳むことにより、コンパクトに、同幅に揃えて体裁よく折り畳むことが可能となる。
【００１１】
カバー体４内の中材３は６個に形成されているため、成形の際の中材３の加工が容易になると共に、長期使用における中材３の歪みやヘタリが生じた場合には、個別に修理交換することが可能である。
【００１２】
本考案の折り畳み式マットレスの他の好適例として、図２に示すように、マットレス本体２の下面（裏面）に、マットレス本体２を折り畳み、吊下げ可能とする吊下げ具１０を装着することができる。
【００１３】
図示する好適例では、吊下げ具１０の本体部１１は長尺輪状に形成され、本体部１１の長手方向両端部には把持部１２が設けられている。また、本体部１１の中央部は、マットレス本体２の下面のカバー体４に縫着または接着されている。さらに、本体部１１は、マットレス本体２を下面切込部６から折り畳む際に支障が生じないように長手方向中央部は二つに分断されている。このため、図４および図５に示すように、マットレス本体２を中央に位置する下面切込部６より折り畳んだとき、吊下げ具１０は中央部より分離する。
【００１４】
吊下げ具１０をマットレス本体２に設けることで、図６に示すように、マットレス本体２を折り畳み、吊下げ具１０の両端を上部に移行させることで、両把持部１２を持って容易に持ち運ぶことができる。なお、吊下げ具１０は、折り畳んだ状態のマットレス本体２を吊下げることができるものであれば、形状や構造は特に限定されるものではない。また、吊下げ具１０は、マットレス本体２に着脱自在に設けてもよい。さらに、把持部１２の一部に、両把持部１２同士を装着させる接着部材（図示せず）を設置してもよい。
【００１５】
次に、本考案の折り畳み式マットレスにおける使用方法の詳細を図７の（a）（b）（c）に基づいて説明する。
【００１６】
図７（a）は、マットレス本体２を平板状に展開した状態を示す。通常、この状態で上部に敷布団等の寝具を敷設して使用する。マットレス本体２の下面には吊下げ具１０が縫着されている。図７（b）は、マットレス本体２の両側部分を内側に移動させ、マットレス本体２を同じ幅でジグザグ状に折り畳んだ状態を示す。このとき、吊下げ具１０はマットレス本体２の中央部分で縫着されているため、ズレたり移動したりすることはない。図７（c）は、マットレス本体２を垂直状に重ね合わせながら折り畳み、吊下げ具１０の本体部１１でマットレス本体２の側面を押さえながら両把持部１２を上部に移行させた状態を示す。
【００１７】
両把持部１２を上部に移行させた後、両把持部１２を持ってマットレス本体２を任意の場所へ移動する。このとき、マットレス本体２の両側面は、吊下げ具１０の本体部１１により押さえられているので、落下したり展開したりすることがなく、容易に、かつ手軽に収納および持ち運びすることができる。
【図面の簡単な説明】
【００１８】
【図１】本考案の折り畳み式マットレスの全体斜視図である。
【図２】前記折り畳み式マットレスの裏面を示す全体斜視図である。
【図３】マットレス本体の拡大断面図である。
【図４】吊下げ具を設置したマットレス本体の中央部拡大断面図である。
【図５】前記マットレス本体を下面切込部より展開した状態の拡大断面図である。
【図６】マットレス本体を折り畳んだ状態の斜視図である。
【図７】（a）（b）（c）はマットレス本体を折り畳んだ状態を段階的に示す側面図である。
【符号の説明】
【００１９】
１    折り畳み式マットレス
２    マットレス本体
３    中材
４    カバー体
５    上面切込部
６    下面切込部
１０  吊下げ具
１１  本体部
１２  把持部
【図１】
0003127205.tif 000003
【図２】
0003127205.tif 000004
【図３】
0003127205.tif 000005
【図４】
0003127205.tif 000006
【図５】
0003127205.tif 000007
【図６】
0003127205.tif 000008
【図７】
0003127205.tif 000009